(57)【要約】      （修正有）【課題】水が染み出しにくい傘ケースを提供する。【解決手段】傘ケースは、内部に閉じた状態の傘を収容することが可能なカバー本体を備える。カバー本体は内側に吸水性シート２０が設けられ、吸水性シートは、シート状物に多孔質体の粉末を含んだ吸水層２１と、吸水層の表面に接合される吸水性を有するポリウレタンスポンジよりなる表層２２とを含む。【選択図】図３
0003233187.tif 000002
【実用新案登録請求の範囲】
【請求項１】
内部に閉じた状態の傘を収容することが可能なカバー本体を備える傘ケースであって、
前記カバー本体は内側に吸水性シートが設けられ、
前記吸水性シートは、シート状物に多孔質体の粉末を含ませた吸水層と、前記吸水層の表面に接合される吸水性を有するポリウレタンスポンジよりなる表層とを含む、傘ケース。
【請求項２】
前記吸水層は、多孔質体として少なくとも珪藻土を含む請求項１に記載の傘ケース。
【請求項３】
前記カバー本体は二つ折りが可能であり、
二つ折りによって重なり合う開閉可能な一対のカバー半体と、
前記カバー半体間に形成され、閉じられた傘を収容する傘収容部と、
前記カバー半体間に設けられる開閉具とを含む請求項１または２に記載の傘ケース。
【請求項４】
前記カバー本体は、折り畳まれた傘を収容する傘収容部を有し、
前記開閉具は、前記各カバー半体の周縁に、取り付けられるファスナーと、ファスナーに沿ってスライドすることによりファスナー間を開閉するスライダーとを有する、請求項３に記載の傘ケース。
【考案の詳細な説明】
【技術分野】
【０００１】
本考案は、濡れた状態の閉じた傘を収容する傘ケースに関するものである。
【背景技術】
【０００２】
濡れた状態で折り畳まれた折り畳み傘は、持ち運ぶ際に水滴が衣服や手に付いたり、床に水滴が落ちるなどの不便が生じる。このため、折り畳み傘を収容するための傘ケースが提案されている。例えば、特許文献１の傘ケースは、合成樹脂繊維製の袋本体の内面に高度の吸水性を有するマイクロファイバークロスを貼着したものである。濡れた状態で折り畳まれた傘を傘ケースに収容することで、傘についた水滴はマイクロファイバークロスに吸収されるため、水滴がしみ出さずに快適に傘を持ち運べる。
【先行技術文献】
【特許文献】
【０００３】
【特許文献１】実用新案登録第３１６９４０７号
【考案の概要】
【考案が解決しようとする課題】
【０００４】
しかし、特許文献１に記載の傘ケースにおいては、吸水部材としてマイクロファイバークロスが用いられているため、傘ケースに外側から圧力が加わると、保水された水がマイクロファイバークロスから染み出て傘に戻ってしまうという問題がある。また、マイクロファイバークロスは、表面に図柄等を印刷できず、意匠を付与できない。
【０００５】
本考案は前記問題に鑑みてなされたものであり、水が染みだしにくく、意匠を付与できる傘ケースを提供することを目的とする。
【課題を解決するための手段】
【０００６】
本考案による傘ケースは、内部に閉じた状態の傘を収容することが可能なカバー本体を備える傘ケースであって、前記カバー本体は内側に吸水性シートが設けられ、前記吸水性シートは、シート状物に多孔質体の粉末を含ませた吸水層と、前記吸水層の表面に接合される吸水性を有するポリウレタンスポンジからなる表層とを含む。
【０００７】
濡れた傘を本考案の傘ケースのカバー本体に収容すると、傘に付着した水は吸水性シートの表層に吸収される。表層は吸水性を有するポリウレタンスポンジにより構成しているため、傘が表層に接すると速やかに水が表層に吸収され、吸水層に取り込まれる。吸水層に含まれる多孔質体は多数の細孔を備えており、この細孔に多くの水を保持することができるため、表層に水が染みだしにくい。
【０００８】
好ましい実施形態においては、前記吸水層は、多孔質体として少なくとも珪藻土を含む。
【０００９】
好ましい実施形態においては、傘ケースは、前記カバー本体は二つ折りが可能であり、二つ折りによって重なり合う開閉可能な一対のカバー半体と、前記カバー半体間に形成され、閉じられた傘を収容する傘収容部と、前記カバー半体間に設けられる開閉具とを含む。
【００１０】
上記の実施形態において、前記カバー本体は、折り畳まれた傘を収容する傘収容部を有し、前記開閉具は、前記各カバー半体の周縁に、取り付けられるファスナーと、ファスナーに沿ってスライドすることによりファスナー間を開閉するスライダーとを有することが好ましい。
【考案の効果】
【００１１】
本考案の傘ケースによれば、ケース本体の内側に水が染みだしにくい。
【図面の簡単な説明】
【００１２】
【図１】本考案の一実施形態に係る傘ケースに傘を収容した状態の斜視図である。
【図２】傘ケースを開いた状態の斜視図である。
【図３】傘ケースの部分断面図である。
【考案を実施するための形態】
【００１３】
本考案の実施形態を図面を参照して説明する。本実施形態の傘ケース１０は、図１、図２に示すように、カバー本体１１の内部に、閉じた状態の傘３０を収容することが可能である。図３に示すように、カバー本体１１は、内側に設けられる吸水性シート２０と、吸水性シート２０の外側に設けられ吸水性シート２０を覆う保護シート２４とを備える。本明細書においては、内側とは傘ケース１０に傘３０が収容された時の傘３０側であり、外側とは内側と反対側である。
【００１４】
図３に示すように、吸水性シート２０は、シート状物に多孔質体の粉末を含ませた吸水層２１と、吸水層２１の表面に接合される吸水性を有するポリウレタンスポンジよりなる表層２２と、吸水層２１の裏面に接合される滑り止め用のゴム層２３からなる。吸水性シート２０は、表層２２、吸水層２１、ゴム層２３が熱圧着加工により接合されて一体に形成されているが、接着剤により接着されていてもよい。吸水性シート２０の表層２２がカバー本体１１の内側に配置され、カバー本体１１内部に収容された傘３０と接触する。
【００１５】
表層２２は、吸水性を有するポリウレタンスポンジから構成される。吸水性のポリウレタンスポンジは、溶融温度が約２００℃、気孔径が５〜６０μmの超微細連続気孔体である。このポリウレタンスポンジは、例えば、イソシアネート化合物と、ポリオール化合物とを反応させてポリウレタンを製造する際に、発泡剤、発泡助剤などを配合して溶剤中で製造させる。イソシアネート化合物として例えばイソフォロンジイソシアネート、ヘキサメチレンジイソシアネート等が挙げられる。ポリオール化合物として例えばエチレングリコール、ポリテトラメチレングリコール、エチレンブチレンアジペート、ポリグリセリンジオール等が挙げられる、溶剤として例えばアセトン、エチルアルコール、セロソルブアセテート等が挙げられる。また、発泡剤、発泡助剤は、いずれも公知のものを使用できる。具体的には、トーヨーポリマー（株）の「ルビーセル」、富士ケミカル（株）の「ソフラス」等が挙げられる。この構成から、表層２２は、吸水性を示し、弾力性、耐久性、耐衝撃性を有する。また、表層２２の表面（内側の面）は、凹凸のない滑らかな面であり、その面に図柄等の印刷を施すことが可能である。
【００１６】
吸水層２１は、シート状物に多孔質体の粉末が担持または含浸したものである。シート状物としては、例えば連続気泡を有する発泡体が挙げられる。発泡体の材質としては、天然ゴム（ＮＲ）や各種合成ゴム（例えばＳＢＲ）、熱可塑性エラストマー（ＴＰＥ）、ＰＶＣ（ポリ塩化ビニル）またはこれらを混合したもの等が用いられるが、特に限定されない。本実施形態では、合成ゴムを用いている。また、発泡体のほか、不織布、織物、綿などを使用してもよい。材質は、エステル、ナイロン、綿、レーヨン、ウレタン、ポリプロピレン、ポリエチレン、ウールなどであるが、特に限定されるものではない。
【００１７】
多孔質体としては、珪藻土、竹炭、木炭、活性炭、ゼオライト等が用いられてもよく、これらの混合物であってもよい。本実施形態では珪藻土を用いている。珪藻土とは、海、湖その他で浮遊していた植物プランクトン（藻）の死骸が堆積し、長い年月を経て化石化したものであり、珪酸ガラス質を主成分とする。珪藻土は、内外に通じる０．１〜０．２ミクロン程度の無数の細孔を有し、この細孔に水を保持することで優れた吸水力を発揮する。本実施形態では、珪藻土は、吸水層２１の重量に対して約２０％の重量となるように吸水層２１に含まれている。
【００１８】
多孔質体の粉末は、例えば含浸処理によりシート状物に含浸または担持させる。含浸処理は、天然樹脂もしくは合成樹脂を溶液もしくはエマルジョンとし、これに、多孔質体の粉末、架橋剤、添加剤等を添加して均一に分散させた含浸液を調製し、この含浸液をシート状物に含浸させる処理である。天然樹脂もしく合成樹脂は、含浸液を調製できれば任意の樹脂であってよく、例えば、ウレタン樹脂、アクリル樹脂、ＳＢＲ樹脂、ＮＲ樹脂、ＮＢ樹脂、エチレン−酢ビ樹脂、ポリエステル樹脂、ポリアミド樹脂などが挙げられるが、これに限定されるものではない。なお、シート状物の素材をゴム以外のものとした場合には、含浸液にゴムを分散させてもよい。また、多孔質体の粉末をシート状物へ含ませるには、含浸処理に限らず、シート状物への練り込み処理、付着処理、表面付着処理等により行っても良い。
【００１９】
ゴム層２３は、合成ゴム等から構成され、シート状を呈しており、裏面に複数の突起が形成されている。ゴム層２３により水が外側へ漏れ出すのが防がれる。また、保護シート２４とゴム層２３との間の摩擦力により、保護シート２４が吸水性シート２０からずれるのを防いでいる。なお、ゴム層２３は設けられていなくてもよい。
【００２０】
保護シート２４は吸水性シート２０と略同じ大きさであり、周縁部が吸水性シート２０に縫製されることで吸水性シート２０の外側に取付けられている。保護シート２４はナイロン、ＦＩＹ、ポリウレタン、ポリエステル等の化学繊維等からなる布材であり、外側の面に塩化ビニル等のポリマーでコーティングが施されたものである。保護シート２４はコーティングにより撥水性、耐久性を有し、吸水性シート２０から水分が漏れ出した場合でも、保護シート２４により水分が外部に染み出ないようになっている。
【００２１】
傘ケース１０の全体構成について説明する。本実施形態の傘ケース１０は折り畳み傘３０を収容するためのものである。傘ケース１０のカバー本体１１は二つ折りが可能であり、吸水性シート２０の剛性により二つ折りの状態から展開する方向に付勢される。カバー本体１１は、二つ折りの状態で略矩形状であり、二つ折りによって重なり合う開閉可能な一対のカバー半体１１Ａ，１１Ｂと、カバー半体１１Ａ，１１Ｂ間に形成され、折り畳まれた傘３０の生地部分３１を収容する傘収容部１２と、カバー半体１１Ａ，１１Ｂ間に設けられる開閉具１３とを含む。開閉具１３は、ファスナーと、ファスナーに沿ってスライドすることによりファスナー間を開閉するスライダーとから構成されている。ファスナーは、各カバー半体１１Ａ，１１Ｂの周縁であってカバー半体１１Ａ，１１Ｂの長辺部１１ａ及び一方の短辺部１１ｂに取付けられており、カバー半体１１Ａ，１１Ｂの他方の短辺部１１ｃは傘３０のハンドル３２を突出させる解放部分となっている。なお、開閉具１３はファスナーとスライダーに限らず、面ファスナー、雄雌のスナップボタン、マグネットと磁性体等であってもよい。
【００２２】
図１に示すように、傘ケース１０は折り畳み傘３０を収容した状態で、傘３０のハンドル３２はカバー本体１１から突出しており、カバー本体１１の傘収容部１２に折り畳み傘３０の生地部分３１が収容される。なお、傘ケース１０は折り畳み傘３０全体を収容するものであってもよく、その場合、各カバー半体１１Ａ，１１Ｂの長辺部１１ａ及び両短辺部１１ｂ、１１ｃの周縁の全長にファスナーが取付けられて、傘収容部１２が閉じられるものであってもよい。また、傘ケース１０は折り畳み傘３０に限らず、長傘を収容するものであってもよい。この場合、長傘３０の生地部分３１に対応してカバー本体１１の大きさが設定される。
【００２３】
濡れた傘３０を傘ケース１０のカバー本体１１に収容すると、傘３０に付着した水は吸水性シート２０の表層２２に吸収される。表層２２は吸水性を有するポリウレタンスポンジにより構成しているため、傘３０が表層２２に接すると速やかに水が表層２２に吸収され、吸水層２１に取り込まれる。このため、水が表層２２の表面を伝って傘ケース１０の隙間から漏れ出ることがない。また、吸水層２１に含まれる多孔質体は多数の細孔を備えているため、この細孔に多くの水を保持することができ、水が表層２２の表面に染み出しにくい。
【００２４】
表層２２は吸水性を有するポリウレタンスポンジよりなるので、弾力性、耐久性、耐衝撃性を有し、容易に破損せず、傘３０を衝撃から保護することができる。さらに、表層２２の表面は平坦であるため、従来のマイクロファイバークロスのように繊維が突出せず、傘ケース１０の内部がすっきりとしたデザインになる。また、表層２２の表面に図柄等の印刷を施すことで、意匠を付与することができ、装飾性を高めることができる。
【００２５】
本実施形態では、吸水層２１に含まれる多孔質体として珪藻土を用いている。珪藻土は優れた吸水性、保水性を有するため、傘３０に多量の水分が付着していても、吸水することができる。
【００２６】
表層２２は吸水性を有するので、傘３０に付着した水分は速やかに吸い取られて吸水層２１に取り込まれ保水される。吸水層２１が珪藻土である場合、表層２２の超吸水性に対して珪藻土の吸水・保水能力が生かされる。
【００２７】
以上、本考案の一実施形態について説明したが、本考案は上記実施形態に限定されるものではなく、本考案の趣旨を逸脱しない限りにおいて種々の変更が可能である。
【符号の説明】
【００２８】
１０  傘ケース
１１  カバー本体
１１Ａ，１１Ｂ  一対のカバー半体
１２  傘収容部
１３  開閉具（ファスナーとスライダー）
２０  吸水性シート
２１  吸水層
２２  表層
３０  傘
【図１】
0003233187.tif 000003
【図２】
0003233187.tif 000004
【図３】
0003233187.tif 000005